Podtech/llm-jp-corpus-v4-ja_patent huggingface dataset:
(57)【要約】【課題】片手の不自由な人でも能率よく等間隔に野菜を切断できる用具を提供する。【解決手段】上部開放有底の細長ケースを設けるとともに、該ケースの長手方向側面に多数のスリットを等間隔に連設したことを特徴とする。【選択図】図５
2011183130.tif 000002
【特許請求の範囲】
【請求項１】
上部開放有底の細長ケースを設けるとともに、該ケースの長手方向側面に多数のスリットを等間隔に連設したことを特徴とする野菜切断補助具。
【請求項２】
ケース下面に台板を設け、台板下面にゴムシートを貼着してなる請求項１記載の野菜切断補助具。
【発明の詳細な説明】
【技術分野】
【０００１】  この発明は、野菜を均等に能率よく切断するための用具に関し、特に片手の不自由な人にとって便利なる用具に関する。
【背景技術】
【０００２】  従来より、野菜の切断時はまな板と包丁にて行われており、本発明にて示すように、等間隔のスリットを設けて、このスリット内に刃を入れて等間隔に野菜を切断するための用具は見あたらない。
【発明の開示】
【発明が解決しようとする課題】
【０００３】  生野菜やゆでた野菜の切断時は、上述のようにまな板上に野菜をのせて、一方の手で野菜を押さえ、他方の手に包丁を持って切断するのが通例である。この場合、目視にて切断間隔を決めるために正確な等分切断は難しい。片手の不自由な人にとっては、この切断作業は楽ではない。まな板上に置いた野菜を手で押さえることができないために、バランスよく切断しにくいものとなっている。本発明は、以上のような従来からの野菜切断作業に関わる課題を解決するために発明されたもので、野菜を載置するケースに多数のスリットを等間隔にて連設することにより、正確に野菜を等分割することのできる、新規かつ有用なる用具を提供するものである。
【課題を解決するための手段】
【０００４】  課題を解決する手段として本発明は以下の構成とした。
すなわち、上部開放有底の細長ケースを設けるとともに、該ケースの長手方向側面に多数のスリットを等間隔に連設する。本発明は以上の構成よりなる野菜切断補助具である。
【発明の効果】
【０００５】  本発明によれば、細長ケース側面にスリットを等間隔にて連設したために、この対向するスリットの上方から包丁の刃を差し入れてケース底部上に載置した野菜を切断できるとともに、このスリットを任意に選択することにて所望サイズに野菜を切断することのできる、有用なる用具を得ることができる。野菜はケース内に位置し、このケース使用時のケース移動を防ぐために、ケース重量を適宜に設定し、またケース下面にゴムシート等を付帯させることにて、片手の不自由な人でも能率よく野菜を切断することのできる物品を提供しうるものである。
【発明を実施するための最良の形態】
【０００６】  以下、本発明の実施形態について説明する。
図において、１は適宜厚合成樹脂製の長方形板体による台板で、その一端近傍には長方形状の切り欠き部２が設けられ、持ち手として利用される。３は薄ゴムシートで、台板下面に貼着される。４は台板上面に固着されるケースである。このケースは図１にて示すごとく、上部開放有底の合成樹脂製中空物体で、その長手方向両端には開口部５が設けられ、中間両側には一定間隔にてケース上縁から底部に至る所定幅のスリット６が連設される。このスリットによる舌片部分上部は内方に向けて湾曲し、かつ舌片端は円弧状に形成される。ケース両端個所中央上部にもスリット７が形成される。
このケース両端部分は、ケース形状を保つための形状保持部８として形成され、水平断面略Ｌ字形状の部分である。９は細長小板体による回動板で、その一端は軸１０にて回動可能にケースに軸支される。また、回動板９の中央上部にスリット１１が設けられる。
以上が本発明の一実施形態である。【０００７】  本発明を使用するには、まず任意に選択した平面上に本品を置く。次に、切断しようとする野菜をケース上方もしくは側方の開口部よりケース内に入れ、ケース底面上に載置する。包丁の刃を任意に選択したスリット個所上方から差し込んで下降させて野菜を切断する。これを繰り返すことにて野菜は切断され、ケース上方から手を差し入れて切断された野菜を取り出し、食することができる。ケースは切断時の移動を防ぐために、ある程度の重量を有することが好ましい。またケース下面が高摩擦係数素材であることが望ましい。
本例では、これらの条件を満たすために、ケース下面に台板を位置させ、台板下面にゴムシートを設けている。既述例にて示すように、スリット間の舌片端は円弧状であるため、この円弧が刃のガイドとなってスムースに刃をスリット内に挿入することができる。
また、ケース両端上部中央にもスリットを設けたので、図のごとく野菜の縦切りも可能である。回動板は、野菜の端部をあてがうためのもので、これにて野菜端から所望位置にて切断することができる。回動板にもスリットを設けたので、野菜縦切りの場合に便利であり、不要時は回動させて直立位置とすることができる。また、台板に切り欠き部を設けており、持ち手として利用でき、ここをフック等にかけて吊下保持することができる。なお、図５にて示すように、任意の舌片上部に着色マークシート１２を粘着させることにて、スリット選択を容易に行うことができる。【０００８】  以上、本発明について記したが、本発明は等間隔に連設されたスリット内に包丁を挿入するところにその特徴を有し、野菜を正確に等分割できるものである。また、ケース重量を適宜に設定するとともに、ケース下面にゴムシートを設けることにて、野菜切断時のケース移動を防止できるものである。従来はこのような用具がなく、目視にて切断間隔を決めていたので、正確な等分割は困難であり、片手の不自由な人にとっては難儀な作業であったが、本発明にてこれが解消できるものとなったのである。
本発明はいくつかの特徴を有するが、その一つはスリット形成にて得られる舌片端の湾曲である。この湾曲部分は作業時に位置目視が容易であるため、スリット位置選択が容易となる。また、ケース両端には形状保持部が位置してケース全体形状が保持されるとともに、ケース位置変更時にこの形状保持部を持つことにてその移動が容易となる。
なお、記述例では舌片端を湾曲させたが、簡易タイプとして非湾曲としてもよい。
また、ケースと台板を一体形成してもよく、形状保持部を省いて形成してもよい。
以上のごとく、本発明にて野菜切断に便利なる用具を得ることができる。
【図面の簡単な説明】
【０００９】
【図１】  本発明の平面図
【図２】  本発明の正面図
【図３】  本発明の右側面図
【図４】  本発明の左側面図
【図５】  本発明の使用説明図
【符号の説明】
【００１０】  １    台板
２    切り欠き部
３    薄ゴムシート
４    ケース
５    開口部
６    スリット
７    スリット
８    形状保持部
９    回動板
１０  軸
１１  スリット
１２  マークシート
【図１】
2011183130.tif 000003
【図２】
2011183130.tif 000004
【図３】
2011183130.tif 000005
【図４】
2011183130.tif 000006
【図５】
2011183130.tif 000007
(57)【要約】【課題】玉などの転動体を使用時に相手面に対し転動自在に支持する装置を簡単に製造し分解洗浄や転動体の取替えを容易に行う転動体の支持装置を提供する。【解決手段】球状などの磁石（１）を複数個互いに環状や結晶格子の配列モデルの様に立体状に吸着させ現れる空隙部（２）に磁性体や磁石の玉などの転動体を吸着させ磁性体や磁石の玉などの転動体（３）を相手面に対し転動自在に保持することを特徴とする。【選択図】図１
2011183129.tif 000002
【特許請求の範囲】
【請求項１】
複数個の球状などの磁石を互いに吸着させ、その組立て品にあらわれる空隙部に磁性体の玉や磁石の玉などの転動体を相手面に対し転動自在に球状などの磁石の磁力により保持する転動体支持装置。
【請求項２】
複数個の板状や筒状などの磁石を樹脂インジェクション成型や接着などの保持手段により概ね環状に配置し、その組立品により磁性体の玉または球面または曲面を有する磁性体または、磁石を吸着させたことを特徴とする転動体の支持装置。
【請求項３】
複数個の球状などの磁石あるいは、１個以上の磁石と磁性体の球などを取り混ぜてそれらを接着剤や樹脂モールドなどの固定手段を用いて環状などに配置し、その組立品により磁性体または磁石の玉などの転動体を支持する装置。
【発明の詳細な説明】
【技術分野】
【０００１】この発明は、磁力を利用し、磁石に吸着される磁性体や磁石などの玉などの転動体の支持装置に関するものである。
【背景技術】
【０００２】従来、玉などの転動体を体表面や紙や構造物などの相手面と転がり接触させる美顔器やマッサージ器やボールペンなどでは、樹脂を用いて転動体を抱き抱えたり、材料を塑性変形させるなどして、玉など転動体を抱き抱えて支持装置としており製造において金型が必要であった。
【発明の概要】
【発明が解決するための課題】
【０００３】これは次のような欠点があった。
（イ）前記の支持方法では、玉などの転動体を手指で取り外し転動体および、支持装置の転動体の支持部などを洗浄することが困難でマッサージ器では汚れが転動体と支持装置の隙間にたまり不衛生であった。
本発明は、以上のような欠点をなくすためになされたものである。
【課題を解決するための手段】
【０００４】球状などの磁石（１）を複数個互いに環状や結晶格子の配列モデルの様に立体状に吸着させ現れる空隙部（２）に座る様に玉などの転動体（３）を磁石（１）に吸着させる。
本発明は、以上の構成よりなる玉など転動体の支持装置である。
【発明の効果】
【０００５】（イ）本発明は磁石の磁力を利用することにより、玉などの転動体の支持装置を金型などを使わず容易に組立てられる。
（ロ）容易に分解し構成部品を洗浄できる。
（ハ）玉などの転動体を大きさの違うものへ容易に取替えることが出来る。
【図面の簡単な説明】
【０００６】
【図１】  本発明の正面図である。
【図２】  本発明の平面図である。
【図３】  本発明を取り付ける握りの平面図である。
【図４】  本発明を取り付ける握りの断面図である。
【図５】  本発明による浴室で使用する場合の正面図である。
【図６】  本発明による品を浴室で使用する場合で、磁石を密閉容器に内包する場合の正面図である。
【図７】  本発明のパワーストーンや照明装置および握りを組み合わせた場合の正面図である。
【図８】  本発明の内部に色水などを入れる密閉容器を組み合わせた場合の正面図である。
【図９】  本発明による磁石を立体的に組み合わせた場合の正面図である。
【発明を実施するための形態】
【０００７】以下、本発明を実施するための最良の形態について説明する。
（イ）球状などの磁石（１）を６個用いる場合について記す。球状の磁石（１）６個を互いに吸着させ環状に配置する。環状の配置の内側には空隙部（２）が現れる。磁性をもった玉などの転動体（３）あるいは磁石の玉などの転動体（３）を前記の空隙部（２）へ吸着させる。
この際、玉などの転動体（３）の大きさは環状に配置した磁石（１）の組立品の空隙部（２）を通り抜けない様にする。
以上により玉などの転動体（３）は相手面に対し転動自在に支持されるのである。
（ロ）更に美顔器やマッサージ器として使用する場合を例にとり、握りを取り付ける場合を記す。鉄や鋼やステンレスなどの磁性体の握り（４）の端部に球状の磁石（１）が座り良く吸着する様に凹を設け、本発明による転動体の支持装置の磁石（１）を吸着させる。
（ハ）本発明による支持装置を樹脂などの密閉容器の底部などに取り付ければ、浴室で使えるマッサージ器を作ることが出来る。また、密閉容器の内部にＬＥＤなどの照明装置を組み込んでも良いし磁石（１）の組立品を樹脂などでモールドしても良い。
（ニ）握り（４）への本発明による支持装置の取り付けは接着などの既存の締結手段を用いても良い。
（ホ）磁石（１）を立体状に吸着させ、転動体（３）の支持装置とすることも出来る。
本発明は、以上のような構造である。
【符号の説明】
【０００８】  １  磁石
２  空隙部
３  転動体
４  握り
５  密閉容器
６  光源
７  接着剤
８  パワーストーン
９  色フィルター
１０  磁性体の玉
【図１】
2011183129.tif 000003
【図２】
2011183129.tif 000004
【図３】
2011183129.tif 000005
【図４】
2011183129.tif 000006
【図５】
2011183129.tif 000007
【図６】
2011183129.tif 000008
【図７】
2011183129.tif 000009
【図８】
2011183129.tif 000010
【図９】
2011183129.tif 000011
(57)【要約】      （修正有）【課題】冬の寒い時期に風呂に入り、腰掛けを使うとお尻が冷え冷えするので、暖かく使用できる腰掛けの提供。【解決手段】腰掛け０のお尻を乗せる蓋３（従来の腰掛けのお尻を乗せる頂板に相当する部分）の下に、温水を入れる容器部１を設け、容器部１に温水（風呂の湯）２を入れ、蓋３はこの温水（風呂の湯）２よって温められ、このようにして、お風呂等で使用する腰掛け０を、温水（風呂の湯）２で、温かく使用できるようにしたので非常に経済的に暖を取る事ができる。【選択図】図１
2011183128.tif 000002
【特許請求の範囲】
【請求項１】
腰掛けのお尻を乗せる蓋の下に、温水を入れる容器部を設けた腰掛け。
【発明の詳細な説明】
【技術分野】
【０００１】本発明は、寒い時期にお風呂に入り、腰掛けを使う時、お尻が冷え冷えする。それを解決するために、お尻を乗せる蓋（従来の腰掛けのお尻を乗せる頂板に相当する部分）の下に、温水を入れる容器部を設け、その温水（風呂の湯）で蓋を温め、腰掛けを温かく使用できるようにしたものである。
【背景技術】
【０００２】従来は、腰掛けに温水を入れ、その温水で腰掛けを温め、お尻を温かく使用できるような腰掛けはなかった。
【発明の開示】
【発明が解決しょうとする課題】
【０００３】冬の寒い時期に風呂に入り、腰掛けを使うとお尻が冷え冷えする。
男性も女性もこの冷たさは嫌のものである。
特に冷え性の女性は、腰掛けを使うのを嫌がった。
本発明は、これらの課題を解消するためになされたものである。
【課題を解決するための手段】
【０００４】腰掛け０のお尻１１を乗せる蓋３の下に、温水を入れる容器部１を設ける。
その容器部１に温水（風呂の湯）２を入れる。蓋３はこの温水（風呂の湯）２によって温められる。
このようにして、お風呂等で使用する腰掛け０を、温水（風呂の湯）２で温かく使用できるようにした。
お湯は急には冷たくならないから、一人の入浴中の暖は、一回の給湯で間に合う。非常に経済的に暖を取る事ができる。
【発明の効果】
【０００５】寒い時期でも、お尻１１を乗せる蓋３の下に温水（風呂の湯）２を入れておくと、その温水（風呂の湯）２により蓋３が温められる。この温められた腰掛け０にお尻１１を乗せると、気持ち良く体を洗う事ができる。なおここで使用する温水には、お風呂の湯を使うから非常に経済的に、温かい腰掛け０とする事ができる。
【実施例１】
【０００６】腰掛け０を蓋３と脚６にわける。４本の脚６の上部を、側板（４辺）４及び底板５で一体化する。この側板（４辺）４と底板５で出来上がった上部のスペース部分が、温水を入れる容器部１となる。ここで言う蓋３とは、従来の腰掛けのお尻を乗せる頂板に相当する部分である。
風呂のお湯はこの蓋３を開ければ、容易に給湯できる。容器部１内の清掃もこの蓋３を開ければ、容易に行える。
本発明の構成には、以下のタイプ等がある。
温水を入れる容器部１の上に、たんに蓋３をのせるタイプ（図３）
同容器部１と蓋３がヒンジ７で取り合っているタイプ（図４）
蓋３の片側がヒンジ７でもう一方の側に、留め金具８を付けたタイプ（図５）
同容器部１と蓋３の間に、温水の湯温を逃げにくくするために、パッキン９を取り付けたタイプ（図６）
同容器部１から蓋３への熱伝導を増すために、リブ１０を入れたタイプ。このリブ１０は、蓋３の補強の役目もする。（図７）
【図面の簡単な説明】
【０００７】
【図１】  本発明の断面図
【図２】  本発明の平面図（蓋３を外した状態）
【図３】  本発明の使用時の断面図（温水を入れる容器部１にたんに蓋３を乗せたタイプ）
【図４】  本発明の使用時の断面図（容器部１と蓋３がヒンジ７で取り合っているタイプ）
【図５】  本発明の使用時の断面図（蓋３の片側がヒンジ７でもう一方の側に、留め金具８を付けたタイプ）
【図６】  本発明の使用時の断面図（容器部１の上面に蓋３と取り合うパッキン９を取り付けたタイプ）
【図７】  本発明の断面図（蓋３の下にリブ１０を取り付けたタイプ）
【図８】  本発明の蓋の平面図（蓋３の下にリブ１０を取り付けたタイプ）
【符号の説明】
【０００８】  ０  腰掛け
１  温水を入れる容器部
２  温水（風呂の湯）
３  蓋
４  側板
５  底板
６  脚
７  ヒンジ
８  留め金具
９  パッキン
１０  リブ
１１  お尻
【図１】
2011183128.tif 000003
【図２】
2011183128.tif 000004
【図３】
2011183128.tif 000005
【図４】
2011183128.tif 000006
【図５】
2011183128.tif 000007
【図６】
2011183128.tif 000008
【図７】
2011183128.tif 000009
【図８】
2011183128.tif 000010
(57)【要約】【課題】従来の塵取りは、取込み口３から取り込んだ塵やゴミが、そのままの取込み口３から排出されるため、取込んだ塵やゴミが塵取りの底部２にいっぱいに広がっている場合は、口の小さいごみ容器等では塵やゴミがゴミ容器の口の外にこぼれやすい。【解決手段】本発明は底部２にその取込口３が凹状に屈曲する屈曲自在の屈曲部４を設けて、さらに底部２をその取込口３が凹状に屈曲して設けたものである。それによって、本発明の塵取りが塵やゴミを集めた面に置いて軽く押すと、塵取りの底部２とその取込み口３は、平になり、従来の塵取りと同等の平な広い取込み口３になる。そして塵取りを持上げて、取込んだ塵ゴミを排出する場合は、底部２とその取込み口３は中央部が低く凹状に屈曲し、塵やゴミは底部２の中央部に集まりながら排出するため、ゴミ容器の口からこぼれにくくなる。【選択図】    図1
2011183097.tif 000002
【特許請求の範囲】
【請求項１】
塵取りの底部が、その取込口（兼排出口）を凹状に屈曲する屈曲自在の屈曲性に設けたことを特徴とする塵取り。
【請求項２】
塵取りの底部が、その取込口（兼排出口）を凹状に屈曲して設けたことを特徴とする請求項１の塵取り。
【発明の詳細な説明】
【技術分野】
【０００１】
本発明は、一般家庭用の塵取りにおいて、塵取りに取込んだ塵やゴミが排出時に取込み口（兼排出口）から散らばらないように改良を図ったものに関する。  
【背景技術】
【０００２】
従来、塵取りは、塵やゴミを取込む取込み口が、又排出口でもあるが、その形状はそれぞれ固有であり堅牢で変形しにくく出来ている。
【先行技術文献】
【特許文献】
【０００３】
【特許文献１】実用新案公開平６-４８５６５
【発明の概要】
【発明が解決しようとする課題】
【０００４】
従来、塵取りは、通常取込み口から取り込んだ塵やゴミは、そのまま又取込み口から排出される取込み口兼排出口の構造で作られている。そして取込口（兼排出口）の大きさが塵取りの大きさであり、主に外で使われる取込む量の多い塵取りは広い取込み口の大きいものや、室内で使われるもの、卓上で使われるもの等、その大きさは使われ方で大小多様である。しかし塵取りが大きくても小さくても取込口（兼排出口）は、平で堅牢に変形しにくく作られている。        
そのため取り込んだ塵やゴミをそのまま排出すると、塵やゴミが底部と取込口（兼排出口）いっぱいに広がったまま排出されるため、ゴミ容器の口が小さい場合等は、塵やゴミはゴミ容器等の口から外にこぼれ易く、塵取りを傾けたりして取込口（兼排出口）の片側に寄せて排出したりしている。そのため塵取りが大きく、塵やゴミの量が多い場合等は重く特に女性には扱いにくいものある。
【０００５】
本発明は、上記のように従来の塵取りでは、取込んだ塵やゴミが、ゴミ容器の口からこぼれやすいという課題を改善するものである。本発明では塵やゴミを取込む場合は、従来の広い取込み口とし、排出時は底部とその排出口（兼取込み口）の中央部が低く凹状に屈曲して、塵やゴミを底部の中央部に集めるようにして排出口（兼取込み口）から排出し、外にこぼれにくく、排出しやすい塵取りを実現するものである。
【課題を解決するための手段】
【０００６】
そして、上記の目的を達成するために本発明の第１の課題解決手段は、塵取りの底部が、その取込口（兼排出口）を凹状に屈曲自在に屈曲するように、底部に屈曲部を設けたり、底部を弾性の屈曲性に設けて、第２の課題解決手段では第１の課題解決手段による塵取りの底部を凹状に屈曲して設けた塵取りである。
【発明の効果】
【０００７】
上記第１及び第２の課題解決手段による作用は次の通りである。すなわち、本発明の塵取りは、底部がその取込み口（兼排出口）で平状と凹状に屈曲自在に屈曲するように設けて且つ底部がその取込み口（兼排出口）を凹状に屈曲して設けた塵取りである。それによって、本発明の塵取りを、塵やゴミを置いた取込み面に置くと凸状に屈曲した底部は、押されて平状になり、従来の塵取りと同様の広い取込み口の底部になる。その状態で、塵やゴミを広い取込み口（兼排出口）から取込んで、本塵取りを持上げると、底部とその取込み口は、もとの凹状に屈曲する。そのため、集めた塵やゴミを排出する場合は塵やゴミは凹状の底部の中央部に集まりながら排出するため、塵やゴミは散らばらずに排出できる。
【０００８】
上述したように、本発明の塵取りは、塵やゴミを取込む場合には、取込み口（兼排出口）は平に広くなり、排出時は凹状に屈曲して、取込んだ塵やゴミは中央に集まりながら排出するためこぼれにくくなる。
【図面の簡単な説明】
【０００９】
【図１】本発明の実施形態を示す実施例１の斜視図
【図２】本発明の実施形態を示す実施例２の斜視図
【図３】本発明の実施形態を示す実施例２の斜視図
【発明を実施するための形態】
【００１０】
以下、本発明の実施例１を図１に、実施例２を図２に、実施例３を図３に基づいて説明する。  
【００１１】
図１は、堅牢な底部をその取込口（兼排出口）の中央部で分離して、その間を屈曲に強い材質のゴム、樹脂、金属板等で繋げて一体に設けて、底部がその取込口（兼排出口）を凹状に屈曲する屈曲自在に設け、且つ底部をその取込口（兼排出口）で凹状に屈曲して設けた塵取りの実施例１である。もちろん屈曲性を妨げない位置に、底部の剛性を強化する為の凹凸等を設けても良い。  
【００１２】
図２は底部をその取込口（兼排出口）の中央部で小幅に振分けた２ヶ所を実施例１と同様に屈曲部に設けて、底部がその取込口（兼排出口）を凹状に屈曲する屈曲自在に設け、且つ凹状に屈曲して設けた塵取りの実施例２である。もちろん２ヶ所以上で底部のその取込口（兼排出口）が凹状に屈曲する屈曲部を設けてもよく。又屈曲性を妨げないように、底部に底部を強化する為の凹凸等を設けても良い。
【００１３】
図３は底部を弾性の屈曲性に設けて、底部をその取込口（兼排出口）を凹状に屈曲して設けた実施例３である。もちろん該底部を剛性に設けてその取込口（兼排出口）が凹状に屈曲するように底部の中央部に又は２つ以上を適当幅の弾性の屈曲性に設けてもよい。又屈曲性を妨げないように、底部を強化する為の凹凸等を設けても良い。
【符号の説明】
【００１４】
１本体
２底部
３取込口（兼排出口）
４屈曲部
５側部
６柄
【図１】
2011183097.tif 000003
【図２】
2011183097.tif 000004
【図３】
2011183097.tif 000005
(57)【要約】【課題】蛍光塗料や反射塗料を塗布して発光又は光反射性を付与した部分が、剥がれたりしないようにした鞄を提供する。【解決手段】上層壁１と下層壁２を積層し、上層壁１に孔３を設け、当該孔から露出した下層壁２上の領域に発光又は光反射層４を形成し、さらに上層壁１と下層壁２の前記孔３の周囲を縫製した部分を有するものとしている。また、発光又は光反射層４が、上層壁１と下層壁２とを接着する接着剤層７の上に形成されたものとすることができる。【選択図】  図２
2011183020.tif 000002
【特許請求の範囲】
【請求項１】
上層壁（１）と下層壁（２）を積層し、上層壁（１）に孔（３）を設け、当該孔（３）から露出した下層壁（２）上の領域に発光又は光反射層（４）を形成し、さらに上層壁（１）と下層壁（２）の前記孔（３）の周囲を縫製した部分を有することを特徴とする鞄。
【請求項２】
発光又は光反射層（４）が、上層壁（１）と下層壁（２）とを接着する接着剤層（７）の上に形成されている請求項１記載の鞄。
【発明の詳細な説明】
【技術分野】
【０００１】
この発明は、ランドセル等の鞄に関するものである。
【背景技術】
【０００２】
従来のランドセル等の鞄には、交通事故防止のため、受けた光のエネルギーを吸収して発光する蛍光シールを貼り付けたり、受けた光を反射するビーズ等の装飾体を設けたりしたものがある（例えば特許文献１）。
【０００３】
しかし、蛍光シールを貼り付けたものは、蛍光シールがはがれるおそれがあり、装飾体を設けたものは、装飾体が何かとの接触により脱落するおそれがあった。
【先行技術文献】
【特許文献】
【０００４】
【特許文献１】特開２００８−９３０２７号公報
【発明の概要】
【発明が解決しようとする課題】
【０００５】
そこで、この発明は、発光又は光反射性を付与した部分が、剥がれたりしないようにした鞄を提供することを課題とする。
【課題を解決するための手段】
【０００６】
前記課題を解決するため、この発明は次のような技術的手段を講じている。
【０００７】
この発明の鞄は、上層壁１と下層壁２を積層し、上層壁１に孔３を設け、当該孔３から露出した下層壁２上の領域に発光又は光反射層４を形成し、さらに上層壁１と下層壁２の前記孔３の周囲を縫製した部分を有することとしている。
【０００８】
また、発光又は光反射層４が、上層壁１と下層壁２とを接着する接着剤層７の上に形成されたものとすることができる。
【発明の効果】
【０００９】
この発明の鞄は、上述のような構成を有しており、発光又は光反射層４が上層壁１の下に積層された下層壁２に接着されているので、発光又は光反射層４が剥がれたりしにくくまっている。
【図面の簡単な説明】
【００１０】
【図１】この発明の実施形態の鞄の左側面図である。
【図２】この発明の実施形態の鞄の一部の製造工程を示す説明図である。
【発明を実施するための形態】
【００１１】
以下、この発明の好適な実施形態を、図面を参照して説明する。
【００１２】
この鞄は、上層壁１と下層壁２を積層し、上層壁１に孔３を設け、当該孔から露出した下層壁２上の領域に発光又は光反射層４を形成し、さらに上層壁１と下層壁２の前記孔３の周囲を縫製した部分を有するものである。この実施形態ではランドセルとしているが、その他の背負い鞄、手提げ鞄等として実施することができる。なお、上層壁１、下層壁２の上下は、便宜上、図２における向きを基準としている。
【００１３】
この鞄の基本的な構成は、図１に示したように一般的なランドセルと同様であり、背板、両側板、底板および前板により形成された上面が開口した箱状の主収納部５を有しており、主収納部５の前方に副収納部６が設けられたものとしている。
【００１４】
この実施形態における前記孔３や、発光又は光反射層４を形成した部分は、図示したように片方の側板に設けている。側板は、厚さ２〜３ｍｍ程度であり、積層された上層壁１と下層壁２により構成されている。
【００１５】
上層壁１は、皮革素材で形成されており、外側に露出する。皮革素材は人工皮革でもよい。下層壁２は、上層壁１と同様の材質、厚みとすることができるが、紙やウレタン等を使用したものでもよい。この実施形態では、上層壁１と下層壁２との間に接着剤層７を設けて上層壁１と下層壁２を全体にわたって接着させている。なお、上層壁１と下層壁２は、それぞれ複数の層で形成されものとすることができ、さらに、下層壁２の内面に内装材を設けてもよい。
【００１６】
この実施形態では、上層壁１の孔３は、ハート型とし、側板の中央下側に大小２つ設けている。孔３の形状、位置、個数は適宜変更して実施することができる。なお、孔３の下方には、孔３の形状にあわせて刺繍により形成されたハート型の模様８を付しているが、他の模様を付してもよい。
【００１７】
発光又は光反射層４は、下層壁２の孔３によって露出した領域全体に形成されたものとしている。発光又は光反射層４は、上層壁１の上面より突出しないようにした、上層壁１の厚みより薄い層であり、受けた光を反射する性質、又は受けた光のエネルギーを吸収して発光する性質を有する塗料を塗布することにより形成されている。前記塗料としては、一般的に使用されている任意の色の蛍光塗料や反射塗料を使用することができる。
【００１８】
孔３の周囲には、縫製箇所９が形成されている。縫製箇所９は、孔３の輪郭から数ｍｍ外側に、孔の周囲全周にわたって設けられており、これによって上層壁１と下層壁２を一体化して、孔３の周囲から上層壁１がめくれ上がることが防止されるようにしている。
【００１９】
次に、このランドセルの前記孔３や発光又は光反射層４を形成した部分に関する製造工程について説明する。
【００２０】
まず図２（ａ）に示したように、上層壁１と下層壁２を積層し、上層壁１に孔３を設ける。なお、この実施形態では、上層壁１と下層壁２との間に接着剤層７を設けて上層壁１と下層壁２が強固に接着されるようにしている。
【００２１】
次に、図２（ｂ）に示したように、下層壁２の孔３によって露出した領域全体に蛍光塗料又は反射塗料を塗布して発光又は光反射層４を形成する。この実施形態では、発光又は光反射層４は接着剤層７の上に形成されるので、蛍光塗料が接着剤層７の接着力によって剥がれにくくなっている、
そして、図２（ｃ）に示したように、孔３の周囲に上層壁１と下層壁２との間を糸が往復した縫製箇所９を形成する。縫製箇所９は、ステッチ縫い、直線縫い等適宜の縫い方で形成することができる。
【００２２】
このようにして形成された部分は、前記孔３や発光又は光反射層４が剥がれにくいとともに、孔３の周囲から上層壁１がめくれにくくなっており、長期間の使用に耐えられるようになっている。
【００２３】
以上がこの発明の好適な実施形態であるが、この考案は上述の実施形態の構成に限定されるものではなく、形状、寸法、材質等を適宜変更して実施することができる。
【符号の説明】
【００２４】
１  上層壁
２  下層壁
３  孔
４  発光又は光反射層
７  接着剤層
【図１】
2011183020.tif 000003
【図２】
2011183020.tif 000004
(57)【要約】【課題】  布団を移動する際に運びやすくするための運搬シートを提供する。【解決手段】  シート２の相対する２ヶ所に取っ手３を取り付け、取っ手３と略直交する上４分の１の位置に固定具４を、下４分の１の位置に固定具５を取り付ける。【選択図】  図１
2011183045.tif 000002
【特許請求の範囲】
【請求項１】
シートと、取っ手と、固定具を有し、前記シートの相対する２ヶ所に前記取っ手を取り付け、前記取っ手の取り付け方向と略直交する方向の２ヶ所に前記固定具を取り付けたことを特徴とする運搬シート。
【発明の詳細な説明】
【技術分野】
【０００１】
本発明は、布団を運びやすくするための運搬シートに関するものである。
【背景技術】
【０００２】
従来、布団を運ぶときの多くは三つ折にたたんで両端を持ち上げるスタイルで、歩いている足元が見えにくく、狭いところを通るにも横幅があるため通りにくかった。
【発明の概要】
【発明が解決しようとする課題】
【０００３】
これは、次のような欠点があった。
布団をベランダや庭に干すために部屋から移動するときは、三つ折にたたんだ両端を持ち上げて運ぶため、歩いている足元が見えにくく、狭いところや階段を通るにも横幅があるため通りにくかった。
本発明は、以上のような欠点をなくすためになされたものである。
【課題を解決するための手段】
【０００４】
本発明は、シートと、取っ手と、固定具を有し、前記シートの相対する２ヶ所に前記取っ手を取り付け、前記取っ手の取り付け方向と略直交する方向の２ヶ所に前記固定具を取り付けたことを特徴とする運搬シートである。
シート２の相対する２ヶ所に取っ手３を取り付け、取っ手３と略直交する上４分の１の位置に固定具４を、下４分の１の位置に固定具５を取り付ける。
本発明は、以上の構成により上記課題を解決する。
【発明の効果】
【０００５】
布団７の下にシート２の片方の取っ手３部分が出るように裏向きに敷いて、反対側から布団７を丸めていくと、もう片方の取っ手３が出てくる。
２つの取っ手３を持ち、固定具４と固定具５を留めるとスポーツバックのようなスタイルになり、簡単に運ぶことが出来るようになる。
【図面の簡単な説明】
【０００６】
【図１】本発明の表側平面図である。
【図２】本発明の実施例を示す斜形図である。
【図３】本発明の実施例を示す平面図である。
【発明を実施するための形態】
【０００７】
以下、本発明を実施するための最良の形態を図１〜図３に基づいて説明する。
長方形のシート２の短辺にキャンバス地の取っ手３を両側中央部に縫い付け、同短辺のふちの部分に両端をつなぐためのファスナー６を縫い付け、長辺の上４分の１の位置に固定具４を、下４分の１の位置に固定具５を縫い付ける。
本発明は、以上のような構造である。
【実施例】
【０００８】
図１は、本発明の表側平面図である。
シート２の相対する２ヶ所に取っ手３を縫い付け、略直交する方向の２ヶ所に固定具４、５を縫い付け、取っ手方向の面にファスナー６を縫い付けたものである。
図２は、本発明の実施例を示す斜形図である。
布団７を丸めてファスナー６で上部を閉じ、左右にある固定具４と固定具５で固定した状態のものである。
図３は、本発明の実施例を示す平面図である。
布団７の下にシート２を裏向きにして片方の取っ手３が出るように敷き、布団７を反対側から丸め終えた状態である。
【０００９】
固定具４と固定具５の位置は布団７が横ズレして落下しないよう防止するためのものである。
【００１０】
両端の取っ手３部分を肩に掛ければ足元が見えるようになり、横幅を取らなくなるので狭い場所も通りやすくなる。
布団の中央から包み込むようにして持つので安定感があり、階段の昇降もしやすい。
【００１１】
シングルやダブルといった大きさの異なる布団７は固定具４、５の長さを調節すれば、それぞれのサイズに合わせることができる。
【００１２】
不使用時のシート２は折りたためばコンパクトになるので、省スペースでの収納ができる。
【００１３】
図１〜図３に示したファスナー６は、シート２の両端を合わせたとき広がらないようにしたもので、他にボタンや紐やホックといった締結手段を用いても良い。
【００１４】
図１〜図３に示したシート２の形状は長方形を用いているが、多角形もしくは適宜の曲がりを有したものでも良い。
【００１５】
大きさの例としては、一般的な布団７の長さが２００センチ〜２０５センチなので、取っ手３方向はファスナー６を取り付けた場合で１２０センチとし、横幅は固定具４、５で長さの調節ができるため、シングルサイズより少し小さめの９０センチとする。
【符号の説明】
【００１６】
１  本発明の運搬シート
２  シート
３  取っ手
４  固定具
５  固定具
６  ファスナー
７  布団
【図１】
2011183045.tif 000003
【図２】
2011183045.tif 000004
【図３】
2011183045.tif 000005
(57)【要約】【課題】毛髪をセットするときに使用したり、毛髪を鋏や剃刀でカットするときに使用する櫛に関し、毛髪が櫛歯の表面を滑らず、逃げにくく、カット等の作業を容易に行うことができるようにする。【解決手段】櫛歯１の表面に、使用時に毛髪に対する抵抗となる凸部２を、櫛歯１の長手方向に複数設けている。各隣接する凸部２間の間隔は、毛髪の径の１〜８倍とすることができる。また、櫛歯１の先端部に凸部２を設けていない領域を有するものとすることができる。【選択図】図１
2011183079.tif 000002
【特許請求の範囲】
【請求項１】
櫛歯（１）の表面に、使用時に毛髪に対する抵抗となる凸部（２）を、櫛歯（１）の長手方向に複数設けたことを特徴とする櫛。
【請求項２】
各隣接する凸部（２）間の間隔を、毛髪の径の１〜８倍とした請求項１記載の櫛。
【請求項３】
櫛歯（１）の先端部に凸部（２）を設けていない領域を有する請求項１又は２記載の櫛。
【発明の詳細な説明】
【技術分野】
【０００１】
この発明は、毛髪をセットするときに使用したり、毛髪を鋏や剃刀でカットするときに使用する櫛に関するものである。
【背景技術】
【０００２】
従来の櫛は、櫛歯の表面が滑らかな曲面状であり、毛髪が引っ掛かるような箇所は存在しない（例えば特許文献１参照）。
【０００３】
そのため、毛髪に櫛歯を入れても、毛髪の表面を滑るため、毛髪が逃げ易く、カット等の作業に困難が生じることがあった。
【先行技術文献】
【特許文献】
【０００４】
【特許文献１】特開２００５−３０４７２０号公報
【発明の概要】
【発明が解決しようとする課題】
【０００５】
そこで、この発明は、毛髪が櫛歯１の表面を滑らず、逃げにくく、カット等の作業を容易に行うことができるようにした櫛を提供することを課題とする。
【課題を解決するための手段】
【０００６】
前記課題を解決するため、この発明は次のような技術的手段を講じている。
【０００７】
この発明の櫛は、櫛歯１の表面に、使用時に毛髪に対する抵抗となる凸部２を、櫛歯１の長手方向に複数設けたものとしている。
【０００８】
各隣接する凸部２間の間隔は、毛髪の径の１〜８倍とすることができる。
【０００９】
また、櫛歯１の先端部に凸部２を設けていない領域を有するものとすることができる。
【発明の効果】
【００１０】
この発明の櫛は、上述のような構成を有しており、毛髪に櫛歯１を入れると、毛髪が凸部２に捉えられるため、櫛歯１の表面を滑らず、逃げにくく、カット等の作業を容易に行うことが可能となっている。
【図面の簡単な説明】
【００１１】
【図１】この発明の実施形態の櫛の正面図である。
【図２】図１のＡ部拡大図である。
【発明を実施するための形態】
【００１２】
以下、この発明の好適な実施形態を、図面を参照して説明する。
【００１３】
この実施形態の櫛は、櫛歯１の表面に、使用時に毛髪に対する抵抗となる凸部２を、櫛歯１の長手方向に複数設けたものであり、図１に示したように、基部３に多数の櫛歯１が列設された櫛歯列を構成している。
【００１４】
この櫛は、適宜のプラスチックの一体成形や削り出しにより製造することができるが、材質や製造方法は特に限定されない。
【００１５】
基部３は、図１中左右方向に直線的に延びるとともに両端が略直角に曲がった形状で、その両端間に多数の櫛歯１からなる櫛歯列１０，１１が形成されている。
【００１６】
櫛歯１は棒状で、下部が先端（図１中下側）に向かって細くなった基本形状を有するもので、基部３の延びる方向に対して直角に延びている。一端側（図１中左側）の半分の櫛歯１は太い径のものとし、他端側（図１中右側）の半分の櫛歯１は径が細いものとしている。各部分の櫛歯１は等間隔で多数設けられており、それぞれ櫛歯列１０，１１を構成している。
【００１７】
すべての櫛歯１には、根元（基部３側）から先端に向かって全長の半分以上の領域に凸部２を設けている。この実施形態では、各櫛歯１の全長を１８ｍｍ程度、凸部２を設けた領域の長さを１２ｍｍ程度としている。
【００１８】
図２に示したように、凸部２は丸みのある形状で、使用時に毛髪の引っ掛かり感じられる程度に突出したものとしている。
【００１９】
また、この実施形態では、櫛歯１の先端部に凸部２を設けていない領域を有する構成としており、この領域は滑らかな曲面であり、しかも先細り形状となっているため、櫛をスムーズに毛髪に入れることが可能である。
【００２０】
なお、凸部２は必ずしもすべての櫛歯１に設ける必要はなく、一部の櫛歯１だけに設けてもよく、前述の寸法等も適宜変更して実施することができる。また、各凸部２は環状として櫛歯１の全周にわたって突出しているが、隣接する櫛歯１側に突出していればよく、正面側及び背面側は突出していなくてもよい。
【００２１】
各櫛歯１の凸部２の数は２０〜３０個程度であり、使用時、各凸部２間には毛髪が入るようになっている。各隣接する凸部２間の間隔Ｂは、使用対象となる毛髪の径の１〜８倍程度になるようにするとよく、最も適当なのは４倍程度である。具体的には、隣接する各凸部２の頂部間の間隔Ｂは、０．１ｍｍ〜０．８ｍｍ程度の範囲で適宜変更して実施することができる。
【００２２】
毛髪の径は個人差があり、性別、年齢、人種によっても異なるが、日本人は平均０．０８ｍｍと言われている。この実施形態では、各隣接する凸部２の頂部間の間隔Ｂを、日本人にあわせて毛髪の径の約４倍強の０．３５ｍｍとしている。
【００２３】
この櫛は、通常の櫛と同様に使用することができる。毛髪に櫛歯１が入ると、毛髪が複数本ごとに隣接する各凸部２間に捉えられ、櫛歯１の表面を滑らずにある程度保持されるので、毛髪が逃げにくく、毛髪に適度なテンションをかけてカット等の作業を容易に行うことができる。
【００２４】
以上がこの考案の好適な実施形態であるが、この考案は上述の実施形態の構成に限定されるものではなく、形状、寸法、材質等を適宜変更して実施することができる。
【符号の説明】
【００２５】
１  櫛歯
２  凸部
【図１】
2011183079.tif 000003
【図２】
2011183079.tif 000004
(57)【要約】【課題】本発明は、亜臨界水熱場でPtに親和性がある官能基を使用して、貴金属を削減したＰｔ／ＴｉＯ２ナノ触媒粒子の製造方法を提供することを課題とする。【解決手段】Ｐｔ／ＴｉＯ２ナノ触媒粒子の製造方法において、亜臨界水熱場でPtに親和性がある官能基をナノ粒子表面に修飾させることで、直接Ptを官能基表面に析出することを特徴とするＰｔ／ＴｉＯ２ナノ触媒粒子の製造方法で、前記亜臨界水熱場が、流通式反応機を用いて、温度が３００℃以上、４００℃以下、圧力が２０ＭＰａ以上、４０ＭＰａ以下の条件であり、前記官能基が、3,4−Dihydroxyhydrocinnamic acid（DHCA）に含まれることを特徴とする、Ｐｔ／ＴｉＯ２ナノ触媒粒子の製造方法。【選択図】図１
2011183262.tif 000002
【特許請求の範囲】
【請求項１】
Ｐｔ／ＴｉＯ２ナノ触媒粒子の製造方法において、亜臨界水熱場でPtに親和性がある官能基をナノ粒子表面に修飾させることで、直接Ptを官能基表面に析出することを特徴とするＰｔ／ＴｉＯ２ナノ触媒粒子の製造方法。
【請求項２】
前記亜臨界水熱場が、流通式反応機を用いて、温度が３００℃以上、４００℃以下、圧力が２０ＭＰａ以上、４０ＭＰａ以下の条件であることを特徴とする請求項１に記載のＰｔ／ＴｉＯ２ナノ触媒粒子の製造方法。
【請求項３】
前記官能基が、3,4−Dihydroxyhydrocinnamic acid（DHCA）に含まれることを特徴とする請求項１に記載のＰｔ／ＴｉＯ２ナノ触媒粒子の製造方法。
【発明の詳細な説明】
【技術分野】
【０００１】
本発明は、排ガス浄化に使われるプラチナ(Pt)などの貴金属触媒粒子の製造方法に関するものである。
【背景技術】
【０００２】
排ガス浄化に使われるプラチナ(Pt)などの貴金属は、使用量が年々増加している。中でもPtの主な産地は地域に偏りがあり価格が不安定である。そのため、代替物質の開発もしくは使用量の削減が求められている。使用量を削減させる一つに、支持体材料表面にPt層を析出させたコアシェル型粒子を作成し体積あたりのPt使用量を抑える手法がある。
【０００３】
しかし、コアシェル型粒子を作成するためには粒子表面間の親和性が重要になるため、自在な組み合わせでコアシェル型粒子を作成するのは原理的には困難であった。
【０００４】
排ガス浄化に使われる触媒の先行技術としては、金属酸化物及び炭素材料に超臨界流体を用いて金属微粒子を担持させた低温有害ガス浄化触媒の技術があるが、この先行技術は、炭素材料を必須とし、官能基を利用する本発明とは異なるものである（例えば、特許文献１参照）。
【先行技術文献】
【特許文献】
【０００５】
【特許文献１】特開２００１−２３９１６１号公報
【発明の概要】
【発明が解決しようとする課題】
【０００６】
そこで本発明は、亜臨界水熱場でPtに親和性がある官能基を使用して、貴金属を削減したＰｔ／ＴｉＯ２ナノ触媒粒子の製造方法を提供するものである。
【課題を解決するための手段】
【０００７】
本発明によれば、Ｐｔ／ＴｉＯ２ナノ触媒粒子の製造方法において、亜臨界水熱場でPtに親和性がある官能基をナノ粒子表面に修飾させることで、直接Ptを官能基表面に析出することを特徴とするＰｔ／ＴｉＯ２ナノ触媒粒子の製造方法がえられる。
【０００８】
また、本発明によれば、前記亜臨界水熱場が、流通式反応機を用いて、温度が３００℃以上、４００℃以下、圧力が２０ＭＰａ以上、４０ＭＰａ以下の条件であることを特徴とするＰｔ／ＴｉＯ２ナノ触媒粒子の製造方法が得られる。
【０００９】
また、本発明によれば、前記官能基が、錯体3,4−Dihydroxyhydrocinnamic acid（DHCA）に含まれることを特徴とするＰｔ／ＴｉＯ２ナノ触媒粒子の製造方法が得られる。
【発明の効果】
【００１０】
本発明により、排ガス浄化に使われる白金触媒の低価格化が実現可能になるという効果が得られる。
【図面の簡単な説明】
【００１１】
【図１】図１（ａ）は、本発明の製造方法で得られたＰｔ／Ｃｏ（ＯＨ）２／ＴｉＯ２のTEM写真。図１（ｂ）は、比較例として、DHCAや水酸化コバルトを用いない条件で製造したＰｔ／ＴｉＯ２のTEM写真。
【発明を実施するための形態】
【００１２】
3,4−Dihydroxyhydrocinnamic acid（以下、DHCAと記す）を含むTi[(DHCA)3(NH4)2](NH4)3錯体を蒸留水中に溶解させ(0.02M)、流通式反応機を用いて、350℃,30MPa,4secの条件で、DHCA修飾TiO2ナノ粒子を合成した。Ptの還元は、Pt(NH3)2(NO3)2錯体(0.001M)を酸化コバルト被覆TiO2ナノ粒子(0.05M)とともに蟻酸(0.016M)を使って、360℃,2 minで行った。表面修飾TiO2ナノ粒子上へのPt析出は、ナノ粒子(0.25 mM)をpH 7に調整したPtCl4(0.25 mM)水溶液(50 ml)に分散させ、60℃, 2h攪拌した後、アスコルビン酸水溶液(2.5 mM, 25 ml)を加えて12h行った。
【００１３】
回収された粒子の形状は透過型電子顕微鏡(TEM)により観察した。ナノ粒子の同定には、X線回折(XRD)およびフーリエ変換赤外分光(FT-IR)を用いた。
【００１４】
亜臨界中でTi錯体から合成されたナノ粒子は、XRDにより分析した結果、アナターゼ型のTiO2に同定された。また、TEM観察により、サンプルのサイズ・形状は、5〜10 nmの立方体の粒子であった。FT-IRにより、合成されたナノ粒子は、1603cm-1にフリーのCOOH基に帰属されるピークが観察された。また、ゼータ電位測定法から、pIは3.15と未修飾TiO2の6.43から大きく酸性側にシフトした。これらの結果から、DHCAのカテコール基がTiO2表面に配位した修飾ナノ粒子が合成されたことがわかった。
【００１５】
水酸化コバルト被覆TiO2ナノ粒子存在下でPt錯体を還元させた生成物をTEMにより観察した。被覆TiO2ナノ粒子は、TiO2ナノ粒子と比較して、より多くのPtナノ粒子(〜10 nm)が表面に観察された。TiO2ナノ粒子表面にPtと親和性の高い水酸化コバルト層を被覆させたことで、より多くのPtナノ粒子が表面に集積したことを示している。図１（ａ）は、本発明の製造方法で得られたＰｔ／Ｃｏ（ＯＨ）２／ＴｉＯ２のTEM写真である。また、図１（ｂ）は、比較例として、DHCAや水酸化コバルトを用いない条件で製造したＰｔ／ＴｉＯ２のTEM写真である。
【００１６】
また、TiO2ナノ粒子を入れずに同条件でPtを還元させた場合、Ptは層状に形成されたことから、水酸化コバルトはTiO2ナノ粒子上を部分的に被覆していることを示唆している。
【００１７】
更に、DHCA修飾TiO2存在下でPt錯体を還元し、得られた生成物をＴＥＭにより観察した結果、Ptナノ粒子(〜2nm）とDHCA修飾TiO2ナノ粒子との複合体が観察され、これはDHCA修飾TiO2のCOOH基がPtナノ粒子を介して連結していることを示唆している。
【図１】
2011183262.tif 000003
(57)【要約】【課題】碁盤を持ち運ぶ際に、収納しやすいようにコンパクト化した一体型囲碁盤を提供する。【解決手段】碁盤を複数に等分化し、スライドして重ねることにより表現することを特徴とする。【選択図】図８
2011183227.tif 000002
【特許請求の範囲】
【請求項１】
碁盤を複数に等分化し、スライドして重ねる構造からなる一体型囲碁盤。
【発明の詳細な説明】
【技術分野】
【０００１】この発明は、囲碁の道具である碁盤を等分化しスライドさせることにより、コンパクトにした一体型囲碁盤に関するものである。
【背景技術】
【０００２】従来の持ち運び用の碁盤は、折りたたみによる収納方法をとっていた。
【発明の開示】
【発明が解決しようとする課題】
【０００３】これは次のような欠点があった。
（イ）碁盤を収納する際に、２つ程に折りたたむことにとどまっていた。
（ロ）碁盤が大きくかさばるため、持ち運びしにくかった。
【問題を解決するための手段】
【０００４】碁盤を複数（ここでは４つ）に等分化し、スライドして重ねることにより表現する。
例として、碁盤を（６）、（７）、（８）、（９）に４分割し、（６）を（７）の上に、それを（８）の上に、そして（９）の上へと重ねていく。
本発明は、以上の構成よりなる一体型囲碁盤である。
【発明の効果】
【０００５】囲碁の道具が持ち運ばれることが多くなり、楽しまれる機会が増える。
【発明を実施するための最良の形態】
【０００６】以下、本発明を実施するための最良の形態について説明する。
碁盤上の縦線と横線の交点３６１個（１９×１９）の地点１つずつを、それぞれ縦線と横線の交点の面、黒石の面、白石の面の３つの面を回転させることにより表現する。
例として、碁盤（３）上の
地点（１）を、黒番の人の指（４）が交点の面から黒石の面に、
地点（２）を、白番の人の指（５）が交点の面から白石の面に、
回転させていることをあらわしている。
本発明は、以上のような構造で使用するとより携帯しやすくなる。
【図面の簡単な説明】
【０００７】
【図１】（地点１，２が回転する前の）碁盤の全体の斜視図である。
【図２】地点１，２での使用状態を示した拡大図である。
【図３】地点１，２での使用状態を示した拡大図である。
【図４】（地点１，２が回転した後の）碁盤の全体の斜視図である。
【図５】本発明の実施例で、碁盤を４等分にし、収納する前の様子を示した斜視図である。
【図６】本発明の実施例で、碁盤を収納している様子を示し、碁盤ＡをＢの上にのせている斜視図である。
【図７】本発明の実施例で、碁盤を収納している様子を示し、碁盤Ａをスライドして、Ｂに重ねた斜視図である。
【図８】本発明の実施例で、碁盤を収納している様子を示し、碁盤Ａ・ＢをＣの上にのせている斜視図である。
【図９】本発明の実施例で、碁盤を収納している様子を示し、碁盤Ａ・Ｂをスライドして、Ｃに重ねた斜視図である。
【図１０】本発明の実施例で、碁盤を収納している様子を示し、碁盤Ａ・Ｂ・ＣをＤの上にのせている斜視図である。
【図１１】本発明の実施例で、碁盤を収納している様子を示し、碁盤Ａ・Ｂ・Ｃをスライドして、Ｄに重ねた斜視図である。
【符号の説明】
【０００８】１  地点１
２  地点２
３  碁盤
４  黒番の人の指
５  白番の人の指
６  碁盤を４等分にしたうちの１つ碁盤Ａ
７  碁盤を４等分にしたうちの１つ碁盤Ｂ
８  碁盤を４等分にしたうちの１つ碁盤Ｃ
９  碁盤を４等分にしたうちの１つ碁盤Ｄ
【図１】
2011183227.tif 000003
【図２】
2011183227.tif 000004
【図３】
2011183227.tif 000005
【図４】
2011183227.tif 000006
【図５】
2011183227.tif 000007
【図６】
2011183227.tif 000008
【図７】
2011183227.tif 000009
【図８】
2011183227.tif 000010
【図９】
2011183227.tif 000011
【図１０】
2011183227.tif 000012
【図１１】
2011183227.tif 000013